(57)【要約】【課題】室内機および室外機の数を減らすことにより、乗りかご周囲のスペースを有効に活用することが可能なダブルデッキエレベータの空調システムを提供する。【解決手段】上かご１ｂと下かご１ａとを有するダブルデッキエレベータの空調システム３０は、下かご１ａ上に設けられた１つの第一の空調機２と、下かご１ａ上に設けられ、第一の空調機２と接続された１つの第二の空調機３とを備えている。このうち第一の空調機２に、送風方向変更ダクト（分岐部）１８が接続されている。第一の空調機２からの送風は、送風方向変更ダクト１８で分岐され、上かご１ｂ内および下かご１ａ内にそれぞれ送気される。【選択図】図２
2009196723.tif 000002
【特許請求の範囲】
【請求項１】
上かごと下かごとを有するダブルデッキエレベータの空調システムにおいて、
前記上かごまたは前記下かごのうちいずれか一方に設けられた１つの第一の空調機と、
前記上かごまたは前記下かごのうちいずれか一方に設けられ、前記第一の空調機と接続された１つの第二の空調機と、
前記第一の空調機に接続され、前記第一の空調機からの送風を前記上かご内および前記下かご内にそれぞれ分岐して送気する分岐部と、を備えたことを特徴とするダブルデッキエレベータの空調システム。
【請求項２】
前記分岐部内に、前記第一の空調機からの送風を前記上かご内または前記下かご内にそれぞれ切り換えて送気するための方向変更機構が設けられ、
前記方向変更機構に、前記方向変更機構の切り換え方向を制御する制御部が接続されていることを特徴とする請求項１に記載のダブルデッキエレベータの空調システム。
【請求項３】
前記上かごおよび前記下かごに、各々乗りかご内の温度を測定する温度感知部が設けられ、
前記制御部は、前記各温度感知部からの温度データに基づいて方向変更機構の切り換え方向を制御することを特徴とする請求項２に記載のダブルデッキエレベータの空調システム。
【請求項４】
前記制御部は、所定の時間設定に基づいて前記方向変更機構の切り換え方向を制御することを特徴とする請求項２または３に記載のダブルデッキエレベータの空調システム。
【請求項５】
前記制御部は、各乗りかご内の荷重に基づいて前記方向変更機構の切り換え方向を制御することを特徴とする請求項２乃至４のいずれかに記載のダブルデッキエレベータの空調システム。
【請求項６】
前記上かごおよび前記下かごのうちの少なくとも一方において、前記第一の空調機からの送風は、かご側壁とかご床との間に設けられた巾木部から乗りかご内に送気されることを特徴とする請求項１乃至５のいずれかに記載のダブルデッキエレベータの空調システム。
【請求項７】
前記上かごおよび前記下かごのうちの少なくとも一方において、前記第一の空調機からの送風は、かご側壁外面に沿って通過し、かご天井またはかご側壁上部から乗りかご内に送気されることを特徴とする請求項１乃至６のいずれかに記載のダブルデッキエレベータの空調システム。
【請求項８】
前記下かご下方に前記第一の空調機からのドレン水を排出するドレン水排出部が設けられ、前記第二の空調機からの排気をエアカーテンとして前記ドレン水排出部に供給することにより、前記ドレン水の飛散を防止することを特徴とする請求項１乃至７のいずれかに記載のダブルデッキエレベータの空調システム。
【請求項９】
上かごと下かごとを有するダブルデッキエレベータの空調システムにおいて、
前記上かごに設けられた上かご用第一の空調機と、
前記下かごに設けられた下かご用第一の空調機と、
前記上かごまたは前記下かごのうちいずれか一方に設けられ、前記上かご用第一の空調機と上かご用配管部を介して接続されるとともに、前記下かご用第一の空調機と下かご用配管部を介して接続された１つの第二の空調機とを備え、
前記上かご用配管部または前記下かご用配管部の少なくとも一部に、可撓性を有する可撓性配管部が設けられていることを特徴とするダブルデッキエレベータの空調システム。
【発明の詳細な説明】
【技術分野】
【０００１】
本発明は、上かごと下かごとを有するダブルデッキエレベータの空調システムに係り、とりわけ室内機および室内機の数を減らすことにより、乗りかご周囲のスペースを有効に活用することが可能なダブルデッキエレベータの空調システムに関する。
【背景技術】
【０００２】
図７（ａ）（ｂ）は、従来の一般的なダブルデッキエレベータの空調システムを示す図である。図７（ａ）（ｂ）において、各乗りかご１ａ、１ｂの天井１ｄ、１ｃ上に、それぞれ室内機２ｄ、２ｃおよび室外機３ｄ、３ｃが設置されている。また乗りかご１ａ、１ｂの周囲に外かご枠１０が設けられ、外かご枠１０の下方にドレンタンク１１が設置されている。すなわち、図７（ａ）（ｂ）において、家庭用エアコンとして用いられるセパレートタイプの空調機（室内機２ｄ、２ｃおよび室外機３ｄ、３ｃ）が２組設置されている。このほか、ダブルデッキエレベータの空調システムにおいて、ドレン水を蒸散処理させるタイプの空調機が用いられる場合もあるが、この場合は空調機のサイズが大きくなるという問題点がある。
【０００３】
この室内機２ｄ、２ｃおよび室外機３ｄ、３ｃの配置については様々なパターンがあり、レイアウト上の制約により各乗りかご１ａ、１ｂの天井１ｄ、１ｃ上に室内機２ｄ、２ｃおよび室外機３ｄ、３ｃを設置できない場合、室外機３ｄ、３ｃのみを各乗りかご１ａ、１ｂ下面に取付けることもある。
【０００４】
このように室内機２ｄ、２ｃおよび室外機３ｄ、３ｃの配置に様々なパターンが存在するのは、とりわけダブルデッキエレベータの場合、設置される建造物等により隣接する乗り場間の距離（階高）が異なることに起因する。すなわち、設置する建造物の階高および乗りかごの室内高さの関係により、乗りかご１ａ、１ｂ間に形成されるスペースが異なるためである。
【０００５】
また、近年増加している階間調整機構付ダブルデッキエレベータにおいても、図７（ａ）（ｂ）に示すのと同様、各乗りかごにそれぞれ室内機および室外機が設置される。また、各室外機から排出されるドレン水は、外かご枠下方に設けられたドレンタンクへ導かれる。この場合、内かご枠が上下に移動し、これに伴って室外機も上下に移動するため、その移動分を吸収するための措置が採られている。例えば、各室外機からのドレンの配管径を違えて互いにラップさせる等の方式が存在する。
【０００６】
また階間調整機構付のダブルデッキエレベータの場合、階間距離を調整する為の機構が上下の乗りかご間に配置されるため、レイアウト上の制約がより増えることも考えられる。
【発明の開示】
【発明が解決しようとする課題】
【０００７】
本発明はこのような点を考慮してなされたものであり、室内機および室外機の数を減らすことにより、乗りかご周囲のスペースによる制約を受けにくくし、乗りかご周囲のスペースを有効に活用することが可能なダブルデッキエレベータの空調システムを提供することを目的とする。
【課題を解決するための手段】
【０００８】
本発明は、上かごと下かごとを有するダブルデッキエレベータの空調システムにおいて、前記上かごまたは前記下かごのうちいずれか一方に設けられた１つの第一の空調機と、前記上かごまたは前記下かごのうちいずれか一方に設けられ、前記第一の空調機と接続された１つの第二の空調機と、前記第一の空調機に接続され、前記第一の空調機からの送風を前記上かご内および前記下かご内にそれぞれ分岐して送気する分岐部と、を備えたことを特徴とするダブルデッキエレベータの空調システムである。
【０００９】
本発明は、前記分岐部内に、前記第一の空調機からの送風を前記上かご内または前記下かご内にそれぞれ切り換えて送気するための方向変更機構が設けられ、前記方向変更機構に、前記方向変更機構の切り換え方向を制御する制御部が接続されていることを特徴とするダブルデッキエレベータの空調システムである。
【００１０】
本発明は、前記上かごおよび前記下かごに、各々乗りかご内の温度を測定する温度感知部が設けられ、前記制御部は、前記各温度感知部からの温度データに基づいて方向変更機構の切り換え方向を制御することを特徴とするダブルデッキエレベータの空調システムである。
【００１１】
本発明は、前記制御部は、所定の時間設定に基づいて前記方向変更機構の切り換え方向を制御することを特徴とするダブルデッキエレベータの空調システムである。
【００１２】
本発明は、前記制御部は、各乗りかご内の荷重に基づいて前記方向変更機構の切り換え方向を制御することを特徴とするダブルデッキエレベータの空調システムである。
【００１３】
本発明は、前記上かごおよび前記下かごのうちの少なくとも一方において、前記第一の空調機からの送風は、かご側壁とかご床との間に設けられた巾木部から乗りかご内に送気されることを特徴とするダブルデッキエレベータの空調システムである。
【００１４】
本発明は、前記下かご下方に前記第一の空調機からのドレン水を排出するドレン水排出部が設けられ、前記第二の空調機からの排気をエアカーテンとして前記ドレン水排出部に供給することにより、前記ドレン水の飛散を防止することを特徴とするダブルデッキエレベータの空調システムである。
【００１５】
本発明は、前記下かご下方に前記第一の空調機からのドレン水を排出するドレン水排出部が設けられ、前記第二の空調機からの排気がエアカーテンとして前記ドレン水排出部に供給され、前記ドレン水の飛散を防止することを特徴とするダブルデッキエレベータの空調システムである。
【００１６】
本発明は、上かごと下かごとを有するダブルデッキエレベータの空調システムにおいて、前記上かごに設けられた上かご用第一の空調機と、前記下かごに設けられた下かご用第一の空調機と、前記上かごまたは前記下かごのうちいずれか一方に設けられ、前記上かご用第一の空調機と上かご用配管部を介して接続されるとともに、前記下かご用第一の空調機と下かご用配管部を介して接続された１つの第二の空調機とを備え、前記上かご用配管部または前記下かご用配管部の少なくとも一部に、可撓性を有する可撓性配管部が設けられていることを特徴とするダブルデッキエレベータの空調システムである。
【発明の効果】
【００１７】
本発明によれば、１つまたは２つの室内機および１つの室外機により上かごと下かごの空調を行なうことができるので、従来のダブルデッキエレベータの空調システムと比較して室内機や室外機の数を減らすことができる。これにより、乗りかご周囲のスペースによる制約を受けにくくすることができ、乗りかご周囲のスペースを有効に活用することができる。
【００１８】
また、本発明によれば、制御部は、分岐部内に設けられた方向変更機構の切り換え方向を制御するので、各乗りかご内の温度、所定の時間設定、または各乗りかご内の荷重等に基づいて上かごおよび下かごへの送風量を適切に制御することができる。
【００１９】
さらに、本発明によれば、室外機からの排気をエアカーテンとしてドレン水排出部に供給するので、ドレン水が周囲に飛散することを防止することができる。
【００２０】
さらにまた、本発明によれば、室外機は、上かご用室内機と上かご用配管部を介して接続されるとともに、下かご用室内機と下かご用配管部を介して接続される。また上かご用配管部または下かご用配管部の一部に可撓性を有する可撓性配管部が設けられている。これにより、階間調整機構付ダブルデッキエレベータにおいて、室内機と室外機とを接続する配管（冷媒管）を上かごと下かご間の距離の変化に追随させることができる。
【発明を実施するための最良の形態】
【００２１】
第１の実施の形態
以下、本発明の第１の実施の形態について、図１乃至図４を参照して説明する。
ここで、図１（ａ）は、本発明の第１の実施の形態を示す正面図であり、図１（ｂ）は、本発明の第１の実施の形態を示す側面図である。また図２は、図１（ａ）の部分拡大図である。また図３（ａ）は上かご内部を示す部分斜視図、図３（ｂ）は図３（ａ）のIII方向斜視図であり、図４（ａ）は上かご外部を示す部分斜視図（図３（ａ）のIV方向斜視図）、図４（ｂ）は上かご外部の変形例を示す部分斜視図（図３（ａ）のIV方向斜視図）である。
【００２２】
まず、図１（ａ）（ｂ）により、ダブルデッキエレベータの全体構成について説明する。
図１（ａ）（ｂ）に示すように、ダブルデッキエレベータは、昇降路２０内に設置された一対のガイドレール２１ａ、２１ｂと、このガイドレール２１ａ、２１ｂに沿って昇降する矩形状の外かご枠１０と、外かご枠１０上部に取付けられ、外かご枠１０を吊り下げるメインロープ２３とを有している。このうち外かご枠１０の内側に、上かご１ｂおよび下かご１ａが上下に設けられている。なお、上かご１ｂと下かご１ａとの間隔が、図示しない階間調整機構により調整可能となっていても良い（階間調整機構付ダブルデッキエレベータ）。
【００２３】
次に、図１乃至図４により本実施の形態によるダブルデッキエレベータの空調システムの概略について説明する。
【００２４】
図１（ａ）（ｂ）において、ダブルデッキエレベータの空調システム３０は、下かご１ａの天井１ｄ上に設けられた１つの室内機２（第一の空調機）と、下かご１ａの天井１ｄ上に設けられ、室内機２と接続された１つの室外機３（第二の空調機）とを備えている。
【００２５】
また図１（ａ）および図２に示すように、室内機２の送風口に送風ダクト４ａが接続されている。この送風ダクト４ａに、室内機２からの送風を上かご１ｂ内および下かご１ａ内にそれぞれ分けて送気する三方向に分岐した送風方向変更ダクト（分岐部）１８が接続されている。
【００２６】
送風方向変更ダクト１８の上部には、上かご用送風ダクト４ｂが接続されている。この送風ダクト４ｂは、上かご１ｂの乗りかご床５の下面に設けられた送風口５ａに接続されている。
【００２７】
図３（ａ）（ｂ）および図４（ａ）に示すように、上かご１ｂは、乗りかご床５と、乗りかご床５端部に設けられた巾木部５ｄと、巾木部５ｄ上に垂直に延びる側板５ｃとを有している。乗りかご床５下面には上述したように送風口５ａが形成され、この送風口５ａと巾木部５ｄの開孔部５ｇ（図４（ａ）参照）との間に、屈曲した形状を有するダクト構造部５ｂが配設されている。送風方向変更ダクト１８からの送風は、送風口５ａから乗りかご床５のダクト構造部５ｂを経由して、かご側壁５ｆと乗りかご床５との間に設けられた巾木部５ｄの溝部５ｈから上かご１ｂ内へ送気される。
【００２８】
なお図４（ｂ）に示すように、送風方向変更ダクト１８からの送風は、ダクト構造部５ｂから側板５ｃの補強部５ｅ内をかご側壁５ｆ外面に沿って通過し、その後上かご１ｂのかご天井１ｃまたはかご側壁５ｆ上部から上かご１ｂ内へ送気されても良い。
【００２９】
一方図１（ａ）および図２に示すように、送風方向変更ダクト１８の下部には下かご用送風ダクト４ｃが接続され、この送風ダクト４ｃは下かご１ａの天井１ｄに設けられた送風口６ａに接続されている。送風方向変更ダクト１８からの送風は、下かご用送風ダクト４ｃを介して送風口６ａから下かご１ａ内へ送気される。
【００３０】
図２に示すように、送風方向変更ダクト１８内には、室内機２から送風ダクト４ａを介して供給された送風を上かご１ｂ内または下かご１ａ内のいずれかへ切り換えて送気するための方向変更機構７が設けられている。図２に示すように、方向変更機構７は、支点７ａを中心に回動可能な切替弁からなっており、この方向変更機構７が支点７ａを中心に回動することにより、送風ダクト４ａと送風ダクト４ｂとの接続（上かご１ｂ側）と、送風ダクト４ａと送風ダクト４ｃとの接続（下かご１ａ側）とを切換可能となっている。また方向変更機構７には、方向変更機構７の切り換え方向を制御する制御部８が接続されている。
【００３１】
さらに図１（ａ）および図２に示すように、上かご１ｂおよび下かご１ａに、各々乗りかご１ａ、１ｂ内の温度を測定するための温度感知部９ａ、９ｂが設けられている。温度感知部９ａ、９ｂは、例えば温度センサー等からなり、各乗りかご１ａ、１ｂ内の温度データを測定して送信する機能を有している。また温度感知部９ａ、９ｂはそれぞれ上述した制御部８に接続され、制御部８は、各温度感知部９ａ、９ｂからの温度データに基づいて方向変更機構７の切り換え方向を制御するようになっている。
【００３２】
また、下かご１ａの下方に、室内機２からのドレン水を受けるドレンタンク１１が設けられ、このドレンタンク１１に室内機２からのドレン水を排出する排水管（ドレン水排出部）１３が連結されている。また昇降路２０の最下部に、下かご１ａが最下階に停止した際、ドレンタンク１１から排水管１３を介して排出されるドレン水を受容するためのドレン受け１２が設置されている。
【００３３】
図１（ａ）（ｂ）において、室内機２および室外機３は下かご１ａの天井上に設けられているが、これに限らず、下かご１ａの下方（図５参照）、上かご１ｂの天井１ｃ上、または上かご１ｂの下面上に設けられても良い。
【００３４】
一方、送風方向変更ダクト１８内に方向変更機構７を設けることなく、室内機２からの送風を常時上かご１ｂ内および下かご１ａ内の両方に送気しても良い。
【００３５】
次に、このような構成からなる本実施の形態の作用について述べる。
まず、室内機２からの送風が、送風ダクト４ａを介して送風方向変更ダクト１８へ送り込まれる。次に、送風方向変更ダクト１８内において、制御部８により方向変更機構７が切り換えられ、送風ダクト４ａからの送風は、上かご１ｂ内または下かご１ａ内のいずれかに送気される。
【００３６】
この場合、制御部８は、各乗りかご１ａ、１ｂに設けられた温度感知部９ａ、９ｂからの信号を受けて送風方向を選択し、送風方向変更ダクト１８内の方向変更機構７を回動させる。この際、制御部８は、室内機２からの送風を乗りかご１ａ、１ｂのうちより温度が高い方へ導くように方向変更機構７を制御することが好ましい。
【００３７】
制御部８により室内機２からの送風が上かご１ｂ内へ送気される場合、上述したように、送風方向変更ダクト１８からの送風は、送風ダクト４ｂ、送風口５ａ、およびダクト構造部５ｂを順次介して、かご側壁５ｆと乗りかご床５との間に設けられた巾木部５ｄの溝部５ｈから上かご１ｂ内へ送気される（図４（ａ）参照）。あるいは、送風方向変更ダクト１８からの送風は、送風ダクト４ｂ、送風口５ａ、およびダクト構造部５ｂを順次介して側板５ｃの補強部５ｅ内へ送り込まれ、次にかご側壁５ｆ外面に沿って上昇し、その後かご天井１ｃまたはかご側壁５ｆ上部から上かご１ｂ内へ送気されても良い（図４（ｂ）参照）。なお、室内機２からの送風を上かご１ｂ内へ送気する場合、巾木部５ｄの溝部５ｈからの送気と、かご天井１ｃまたはかご側壁５ｆ上部からの送気とを組合わせて行なっても良く、またはいずれか一方のみを行なっても良い。
【００３８】
他方、制御部８により、室内機２からの送風が下かご１ａ内へ送気される場合、上述したように、送風方向変更ダクト１８からの送風は、下かご用送風ダクト４ｃを介して下かご１ａの天井１ｄの送風口６ａから下かご１ａ内へ送気される。
【００３９】
なお、上述したように、制御部８は、各温度感知部９ａ、９ｂからの温度データに基づいて、比較的温度が高い乗りかご１ａ、１ｂ内に選択的に送気するように方向変更機構７を制御することが好ましい。しかしながら、これに限らず、制御部８は所定の時間設定に基づいて方向変更機構７の切り換え方向を制御しても良い。例えば、一定時間が経過する毎に、送風方向を上かご１ｂと下かご１ａとの間で互いに変化させても良い。あるいは、乗りかご１ａ、１ｂ内にそれぞれ図示しない荷重センサーを設け、この荷重センサーから送信された各乗りかご１ａ、１ｂ内の荷重（荷重信号）に基づいて、方向変更機構７の切り換え方向を制御しても良い。この場合、制御部８は、各乗りかご１ａ、１ｂからの荷重信号に基づいて、相対的に乗車人数の多い乗りかご１ａ、１ｂへ向けて室内機２からの送風を送気するように方向変更機構７を制御することが好ましい。
【００４０】
このように、本実施の形態によれば、１つの室内機２および１つの室外機３により、上かご１ｂおよび下かご１ａの空調を両方行なうことができるので、従来のダブルデッキエレベータの空調システムと比較して、室内機２や室外機３の数を減らすことができる。すなわち従来各乗りかご１ａ、１ｂに設置されていた２対の空調機（室内機および室外機）を１対とすることができるので、空調機の据付時間を短縮するとともにコストダウンを図ることができる。また、乗りかご１ａ、１ｂ周囲のスペースを有効に活用することができ、例えば保守点検時における作業スペースを拡大することができるので、作業の安全性を向上させることができる
【００４１】
また、本実施の形態によれば、制御部８が、送風方向変更ダクト１８内に設けられた方向変更機構７の切り換え方向を制御する。これにより、各乗りかご１ａ、１ｂ内の温度、所定の時間設定、または各乗りかご１ａ、１ｂ内の荷重等に基づいて、上かご１ｂおよび下かご１ａへの送風量を適切に制御することができる。
【００４２】
第２の実施の形態
次に、本発明の第２の実施の形態について、図５を参照して説明する。
ここで、図５は、本発明の第２の実施の形態を示す正面図である。図５に示す第２の実施の形態は、室外機３が下かご１ａ下方に設置されている点、および下かご１ａ下方に室外機排気部１４が設けられている点が異なるものであり、他の構成や作用は上述した第１の実施の形態と略同一である。図５において、図１乃至図４に示す第１の実施の形態と同一部分には同一の符号を付して詳細な説明は省略する。
【００４３】
まず、図５により本実施の形態によるダブルデッキエレベータの空調システムの概略について説明する。
図５に示すように、ダブルデッキエレベータの空調システム３０は、下かご１ａの天井１ｄ上に設けられた１つの室内機２と、下かご１ａの下方に設けられ、室内機２と接続された１つの室外機３とを備えている。また下かご１ａ下方に、室内機２からのドレン水を排出する排水管１３が設けられ、排水管１３に室外機排気部１４が設けられている。
【００４４】
図５において、室内機２からのドレン水は、ダクト２４を通過してドレンタンク１１内に貯留される。その後下かご１ａが最下階に停止した際、ドレンタンク１１内のドレン水は排水管１３を介してドレン受け１２内へ流れ込む。この間、室外機３からの排気が、エアカーテンとして室外機排気部１４を介して排水管１３に供給される。このことにより、ドレンタンク１１内のドレン水が周囲に飛散することを防止することができる。
【００４５】
第３の実施の形態
次に、本発明の第３の実施の形態について、図６を参照して説明する。
ここで、図６は、本発明の第３の実施の形態を示す斜視図である。図６に示す第３の実施の形態は、２つの室内機２Ａ、２Ｂが設けられている点等が異なるものであり、他の構成や作用は上述した第１の実施の形態と略同一である。図６において、図１乃至図４に示す第１の実施の形態と同一部分には同一の符号を付して詳細な説明は省略する。
【００４６】
図６において、上かご１ｂと下かご１ａとの間隔が、図示しない階間調整機構により調整可能となっている（以下、階間調整機構付ダブルデッキエレベータともいう）。
【００４７】
次に、図６により本実施の形態によるダブルデッキエレベータの空調システムの概略について説明する。
図６に示すように、ダブルデッキエレベータの空調システム３０は、下かご１ａの天井１ｄ上に設けられ、下かご１ａ内を空調する下かご用室内機２Ａ（下かご用第一の空調機）と、上かご１ｂの天井１ｃ上に設けられ、上かご１ｂ内を空調する上かご用室内機２Ｂ（上かご用第一の空調機）と、下かご１ａの天井１ｄ上に設けられた室外機３（第二の空調機）とを備えている。
【００４８】
このうち室外機３に、三方向に分岐する分岐部１５が接続されている。また分岐部１５には、冷媒管（下かご用配管部）１６Ａを介して下かご用室内機２Ａが接続されるとともに、冷媒管（上かご用配管部）１６Ｂ、１６Ｃを介して上かご用室内機２Ｂが接続されている。一方、冷媒管１６Ｂと冷媒管１６Ｃとの間に可撓性を有する可撓性配管部１７が設けられている。可撓性配管部１７は、例えば冷媒圧力に応じた高圧ホース等、可撓性素材の冷媒管からなっている。
【００４９】
図６において、冷媒は、分岐部１５、冷媒管１６Ａを介して室外機３と下かご用室内機２Ａとの間を循環するとともに、分岐部１５、冷媒管１６Ｂ、可撓性配管部１７、および冷媒管１６Ｃを介して室外機３と上かご用室内機２Ｂとの間を循環する。
【００５０】
図６において、室外機３は下かご１ａの天井１ｄ上に設けられているが、室外機３を下かご１ａの天井１ｄ上に設置することがレイアウト上の理由等により困難である場合には、室外機３を上かご１ｂの天井１ｃ上に設置しても良い。これは、通常、室内機２Ａ、２Ｂより室外機３の方が高さが高く、かつ上かご１ｂの天井１ｃ上の方が下かご１ａの天井１ｄ上よりスペース面で余裕があるためである。
【００５１】
このように、本実施の形態によれば、冷媒管１６Ｂと冷媒管１６Ｃとの間に可撓性配管部１７が設けられている。これにより、階間調整機構付ダブルデッキエレベータにおいて、各乗りかご１ａ、１ｂが移動して乗りかご１ａ、１ｂ間の間隔が変化した場合であっても、室内機２Ｂと室外機３とを接続する冷媒管をこの間隔の変化に追随させることができる。また、空調機（下かご用室内機２Ａ、室外機３等）の設置スペースを削減することができるので、据付工数を削減するとともに、エレベータの工事・調整・保守の際における作業スペースを拡大し、作業の安全性を向上させることができる。
【図面の簡単な説明】
【００５２】
【図１】本発明によるダブルデッキエレベータの空調システムの第１の実施の形態を示す図。
【図２】本発明によるダブルデッキエレベータの空調システムの第１の実施の形態を示す拡大正面図。
【図３】上かごの乗りかご床周辺を示す部分斜視図。
【図４】上かご外部を示す部分斜視図。
【図５】本発明によるダブルデッキエレベータの空調システムの第２の実施の形態を示す正面図。
【図６】本発明によるダブルデッキエレベータの空調システムの第２の実施の形態を示す斜視図。
【図７】従来のダブルデッキエレベータの空調システムを示す正面図。
【符号の説明】
【００５３】
１ａ  下かご
１ｂ  上かご
２    室内機
３    室外機
４ａ、４ｂ、４ｃ  送風ダクト
５    乗りかご床
５ａ  送風口
５ｂ  ダクト構造部
５ｃ  側板
５ｄ  巾木部
５ｆ  かご側壁
６ａ  送風口
７    方向変更機構
８    制御部
９ａ、９ｂ  温度感知部
１１  ドレンタンク
１３  排水管（ドレン水排出部）
１６Ａ  冷媒管（下かご用配管部）
１６Ｂ、１６Ｃ  冷媒管（上かご用配管部）
１７  可撓性配管部
１８  送風方向変更ダクト（分岐部）
２０  昇降路
２１  ガイドレール
３０  ダブルデッキエレベータの空調システム
【図１】
2009196723.tif 000003
【図２】
2009196723.tif 000004
【図３】
2009196723.tif 000005
【図４】
2009196723.tif 000006
【図５】
2009196723.tif 000007
【図６】
2009196723.tif 000008
【図７】
2009196723.tif 000009